(57)【要約】【課題】球入口が不正に開放され該球入口から遊技球が入賞しても、これら遊技球をすべて非入賞球として処理することにより、その不正行為を抑止すると共にパチンコホールにとっても不利益のほとんど発生しない遊技機の入賞装置を提供する。【解決手段】誘導部材１８を開閉受け部材１１と別個に設け、電気的駆動源２２の作動により誘導部材１８を前方へ摺動させたとき、これに伴い開閉受け部材１１が前方へ摺動して球入口２を開放すると共に誘導部材６により球落口１０が塞がれる。また、電気的駆動源２２が作動せずに開閉受け部材１１が前方ヘ摺動したときは、球落口１０が開放するようにした。【選択図】図８
2008036030.tif 000002
【特許請求の範囲】
【請求項１】
遊技盤面に取着され球入口が開設される取付基板と、
前記球入口の下縁から後方へほぼ水平に延設され、後側に前記球入口から入った遊技球を入賞球として処理する有効域が成形されると共に前側には前記球入口から入った遊技球を非入賞球として処理する無効域が成形される支持板と、
前記取付基板の後側であって前記支持板の上面に前記有効域と無効域とを囲うようにしかつ前後へ自在に摺動するように配置され前端に前記球入口を開閉する開閉蓋が設けられ、前方へ摺動して前記開閉蓋が前記球入口を開放したとき前記無効域に成形される球落口が開放され、後方へ摺動して前記開閉蓋が前記球入口を閉塞したとき前記球落口を閉塞する開閉受け部材と、
前記球入口を塞ぐように前記開閉受け部材を常に後方へ付勢する弾発手段と、
前記開閉受け部材と別個に設けられると共に前記開閉蓋の後側であって前記支持板の上面に前後へ自在に摺動するように配置され、前方へ摺動するのに伴い前記開閉受け部材を前記弾発手段に抗して同じく前方へ摺動させる誘導部材と、
前記誘導部材を作動させる電気的駆動源とを備え、
前記電気的駆動源により前記誘導部材を作動させ前記開閉受け部材を前方へ摺動して球入口を開放したとき前記誘導部材により前記球落口が塞がれ前記球入口から入った遊技球を前記有効域に導き、前記開閉受け部材のみ前方へ摺動して球入口を開放したときは前記球落口が開いて前記球入口から入った遊技球を該球落口へ導くようにしたことを特徴とする遊技機の入賞装置。
【発明の詳細な説明】
【技術分野】
【０００１】
本発明は、遊技盤面に装着され、大当り状態になったとき球入口を開放して一定の条件の下で一度に多くの入賞球を発生させることができるようにした遊技機の入賞装置に関するものである。
【背景技術】
【０００２】
従来、遊技機の一種であるパチンコ遊技機にあっては、第二種の所謂「フィーバー」タイプのものが長く人気を博している。このパチンコ遊技機は、遊技盤の中央に表示部を有する可変表示装置が配設され、その下方に遊技盤面を流下する遊技球が入賞することにより前記表示部に表示される数字、図柄といった情報を可変表示する始動入賞口が配置されている。また、前記始動入賞口の下方には、前記表示部に停止表示された情報が特定の情報、例えば「７７７」に揃って大当り状態になったとき、球入口に設けられる開閉蓋を開き、しかも、所定の時間または所定個数の遊技球が入賞したことにより開閉蓋を閉め、一定の条件の下で開閉蓋を前記のように複数回開いて一度に多くの入賞球を発生させる入賞装置が配置されている（例えば、特許文献１参照。）。
【０００３】
前記入賞装置についてもう少し詳しく説明すると、該入賞装置は遊技盤面に取着される取付基板に球入口が開設され、該取付基板の裏側に箱枠が設けられると共に該箱枠の内部には前記球入口と連通し、該球入口から入った遊技球を入賞球として処理する有効域が成形されている。また、前記球入口に前側へ自在に傾動して該球入口を開閉する開閉蓋が軸着され、箱枠の一側には前記開閉蓋を作動させる電気的駆動手段としてのソレノイドが装着されている（例えば、特許文献１参照。）。
【０００４】
【特許文献１】特開平１０−２３００５１号公報（第２−４頁、図１、図３、図１１）
【発明の開示】
【発明が解決しようとする課題】
【０００５】
ところで、前記入賞装置は開閉蓋が前側から簡単に開けられる構造になっていることから、例えばピアノ線等の不正具を遊技盤面に這わせて、大当り状態でないにも拘わらず、前記開閉扉に前記不正具を引っ掛けて開け球入口を開放して、故意に多くの入賞球を発生させるといった不正行為が後を絶たないのが現状である。
【０００６】
そこで、本発明は上記課題に鑑みてなされたもので、球入口が不正に開放され該球入口から遊技球が入っても、これら遊技球をすべて非入賞球として処理しその不正行為を抑止すると共にパチンコホールにとっても不利益のほとんど発生しない遊技機の入賞装置を提供することを目的とするものである。
【課題を解決するための手段】
【０００７】
かかる目的を達成するため本発明の遊技機の入賞装置は、遊技盤面に取着され球入口が開設される取付基板と、前記球入口の下縁から後方へほぼ水平に延設され、後側に前記球入口から入った遊技球を入賞球として処理する有効域が成形されると共に前側には前記球入口から入った遊技球を非入賞球として処理する無効域が成形される支持板と、前記取付基板の後側であって前記支持板の上面に前記有効域と無効域とを囲うようにしかつ前後へ自在に摺動するように配置され前端に前記球入口を開閉する開閉蓋が設けられ、前方へ摺動して前記開閉蓋が前記球入口を開放したとき前記無効域に成形される球落口が開放され、後方へ摺動して前記開閉蓋が前記球入口を閉塞したとき前記球落口を閉塞する開閉受け部材と、前記球入口を塞ぐように前記開閉受け部材を常に後方へ付勢する弾発手段と、前記開閉受け部材と別個に設けられると共に前記開閉蓋の後側であって前記支持板の上面に前後へ自在に摺動するように配置され、前方へ摺動するのに伴い前記開閉受け部材を前記弾発手段に抗して同じく前方へ摺動させる誘導部材と、前記誘導部材を作動させる電気的駆動源とを備え、前記電気的駆動源により前記誘導部材を作動させ前記開閉受け部材を前方へ摺動して球入口を開放したとき前記誘導部材により前記球落口が塞がれ前記球入口から入った遊技球を前記有効域に導き、前記開閉受け部材のみ前方へ摺動して球入口を開放したときは前記球落口が開いて前記球入口から入った遊技球を該球落口へ導くようにしたことを特徴とする。
【発明の効果】
【０００８】
本発明は、誘導部材を開閉受け部材と別個に設け、電気的駆動源の作動により誘導部材を前方へ摺動させたときこれに伴い開閉受け部材が前方へ摺動して球入口を開放すると共に誘導部材により球落口が塞がれ、電気的駆動源が作動せずに開閉受け部材が前方ヘ摺動したときは球落口が開放するようにした。これにより、仮に不正行為により開閉受け部材を前方へ摺動し球入口を開放して故意に入賞球を得ようとしても、該球入口に入った遊技球がすべて球落口に落下することになり、しかも、これら遊技球は非入賞球として処理されるので、賞球が払い出されるようなことはない。よって、これにより不正行為が抑止されると共にパチンコホールにとってはほとんど不利益が生じないという効果が有る。
【発明を実施するための最良の形態】
【０００９】
以下、本発明に係る遊技機の入賞装置の実施の形態を図面に基き説明する。本発明において遊技機とは、パチンコ遊技機、アレンジボール機、雀球機等の遊技機を指すが、その一例としてパチンコ遊技機に適用される場合について説明する。
【００１０】
図１は本発明に係る入賞装置の斜視図、図２は同分解斜視図、図３は同正面図、図４は図３のＸ−Ｘ線矢視図である。入賞装置Ａは、後記する遊技盤３２面に取着される取付基板１を有し、該取付基板１に横長の球入口２が開設されている。また、取付基板１の上下・左右の四隅部に遊技盤３２面にネジ止めするための取付孔３が開設されている。
【００１１】
前記取付基板１の裏側に、前記球入口２の下縁から後方へほぼ水平な支持板４が延設される。支持板４は、横長長方形状に成形され、その周縁に上方へ突出するリブ５が設けられている。そして、支持板４の上面には、その後側に前記球入口２から入った遊技球を入賞球として処理する有効域６が成形されると共に前側には前記球入口２から入った遊技球を非入賞球として処理する無効域７が成形されている。
【００１２】
有効域６側の支持板４の中央に、前後に位置して第一・第二入賞口８ａ，８ｂが開設される。第一・第二入賞口８ａ，８ｂ内には球検出器９が配置され、第一・第二入賞口８ａ，８ｂ内に入った遊技球は球検出器９により検出されて入賞球として処理され、それら入賞球に対応する賞球としての遊技球が払い出される。一方、無効域７側の支持板４にはほぼ横幅一杯に遊技球が落下し得る球落口１０が開設され、該球落口１０に落下した遊技球は非入賞球として処理され、そのままパチンコ遊技機Ｐの外に排出されることになる。
【００１３】
前記取付基板１の後側であって支持板４の上面に、前記有効域６と無効域７とを囲うようにしかつ前後へ自在に摺動するようにして開閉受け部材１１が配置される。該開閉受け部材１１は上・下面が共に開放した平面略方形状の枠部材からなり、前記リブ５の内面に摺接するようにして前後方向に摺動するようになっている。そして、左右両側板１２，１２の前側の間隔が少し狭くしてあり、その先端に起立して前記球入口２に合致し、該球入口２を開放または閉塞する開閉蓋１３が一体に設けられる。
【００１４】
前記両側板１２，１２における前側の狭くなった部位１２ａ，１２ａの後端に段部１４，１４が設けられ、前記開閉蓋１３の下縁から段部１４に至るまで球受板部１５が一体に設けられる。その上面は前後方向の長さ寸法が遊技球の直径よりやや長く設定され、後方へなだらかに湾曲している。この部位１２ａ，１２ａが前記球入口２から前方へ突出し、かつ、取付基板１の裏面に前記段部１４，１４の外面１４ａ，１４ａが当って遊技球を受け入れることになる。また、開閉受け部材１１が後方へ摺動して球入口２を閉塞している位置にあるときは球受板部１５により球落口１０を塞ぎ、前方へ摺動して球入口２から突出した位置にあるときは球落口１０を開放するようにしている。
【００１５】
開閉受け部材１１の左右両側板１２，１２の外面にそれぞれ受板１６，１６が設けられ、両受け板１６，１６と取付基板１との間に弾発手段としての圧縮スプリング１７，１７が介装されている。これにより、開閉受け部材１１は常に球入口２を塞ぐように後方へ付勢される。
【００１６】
前記開閉受け部材１１の内側に、前記球落口１０を塞ぐことができる誘導部材１８が配置される。該誘導部材１８は正面凹状に成形され、両側壁１９ａ，１９ａが開閉受け部材１の両側板１２，１２の内面に摺接し、前記開閉蓋１３の後側であって支持板４の上面に前後へ自在に摺動するようにして配置される。一方の側壁１９ａの外側に開閉受け部材１１の一側の側板１２を跨ぐようにして外側へ突出すると共に下側を向く作動板部２０が設けられ、該作動板部２０の下縁にスリットを有する係合凹部２１が設けられる。一方、取付基板１の裏面に、前記係合凹部２１に対向位置してプランジャー２３が後方へ略水平に突出する電気的駆動源としてのソレノイド２２が取着される。そして、前記係合凹部２１にプランジャー２３の先端の連結板２３ａが嵌合する。
【００１７】
次に、本発明の入賞装置Ａが適用されるパチンコ遊技機について説明する。該パチンコ遊技機Ｐは、図５に示すように縦長長方形状の外枠３０の前面に遊技盤取付枠３１が開閉自在に装着され、該遊技盤取付枠３１に遊技盤３２が配設される。遊技盤取付枠３１の前面には、その上部に遊技盤３２の前面の遊技部３２ａが臨む窓開口３４を開設した前面枠３３が開閉自在に装着されている。該前面枠３３は遊技盤取付枠３１とほぼ同じ大きさを有する。窓開口３４は、二枚のガラス板または合成樹脂板からなる透明板３５により覆われる。また、前面枠３３の前面下部に、打球発射部（図示せず。）へ供給される遊技球を貯留するための受球皿３６が装着され、その一側に打球の打球力を調整するための打球調整ハンドル３７が装着される。
【００１８】
前記遊技盤３２の遊技部３２ａはレール３８により囲われ、その中央部にセンター役物である大型の可変表示装置３９が配設される。その下方に、遊技球が入賞することにより前記可変表示装置３９を動作させる始動入賞口４０が配設される。更に、該始動入賞口４０の下方に位置して、可変表示装置３９の表示部３９ａに予め定められた特別な図柄が特定の停止態様にて停止表示したときに特別遊技状態すなわち大当り状態となり、このとき球入口２を開放して一度に多くの入賞球が発生し易い状態とする本発明の入賞装置Ａが配置される。
【００１９】
可変入賞装置３９の両横に一般の入賞口４１が配置され、所定位置には遊技盤３２面を流下する遊技球の流下方向をランダムに変える風車４２が設けられている。また、遊技部３２ａの下部に、遊技部３２ａに打ち込まれた遊技球であって入賞球とならなかったアウト球をパチンコ遊技機Ｐの外部へ排出するためのアウト球口４３が開設される。
【００２０】
可変表示装置３９の表示部３９ａの情報が特定の情報に揃わずソレノイド２２が消磁しているときは、図６（イ）（ロ）に示すように開閉受け部材１１が圧縮スプリング１７，１７の付勢により後方へ摺動して球入口２を閉塞した状態で停止している。また、誘導部材１８は、図６（イ）（ロ）に示すように開閉受け部材１１の両側の段部１４，１４の内面１４ｂに当接して停止している。このとき、誘導部材１８の底板１９ｂが、有効域６の前側の第一入賞口８ａを塞いでいる。
【００２１】
これに対し、可変表示装置３９の表示部３２ａの情報が特定な数字例えば「７７７」に揃って停止表示され特別遊技状態すなわち大当り状態となると、ソレノイド２２が励磁する。すなわち、図７（イ）（ロ）に示すようにソレノイド２２のプランジャー２３が収縮して誘導部材１８が前方へ摺動する。これに伴い、開閉受け部材１１が段部１４，１４を押されて両圧縮スプリング１７，１７の付勢に抗して前方へ摺動する。これにより、球入口２から開閉蓋１３が前方へ突出して停止し、遊技盤３２面を流下する遊技球Ｂを受け入れることになる。
【００２２】
この際、球落口１０は誘導部材１８の底板１９ｂにより塞がれており、しかも、第二入賞口８ｂは開閉受け部材１１から後方へ食み出て、遊技球が流入できない状態になっている。そこで、球入口２から入った遊技球Ｂは、球受板部１５及び底板１９ｂの上面を転動して有効域６に導かれ、第一入賞口８ａに流下する。第一入賞口８ａに流下した遊技球は、球検出器９により検出され入賞球として処理される。該球検出器９により遊技球が検出される度に、所定数（例えば、１０個）の賞球としての遊技球が払い出される。このような開閉蓋１３による球入口２の開閉動作は所定の条件に従い最大１５回連続して繰り返され、遊技者は一度に多くの賞球を獲得できることになる。
【００２３】
なお、支持板４の有効域６に第二入賞口８ｂが設けられているのは、例えば開閉蓋１３が後方へ摺動して球入口２が閉塞する直前に遊技球が球入口２に入ると、このとき図６（イ）（ロ）に示すように誘導部材１８の底板１９ｂにより第一入賞口８ｂがすでに塞がれていることから、前記遊技球は第一入賞口８ａへ流入できないためである。
【００２４】
そこで、遊技者が遊技盤３２面に針金またはセル板等の不正具を這わせ、図８に示すように開閉受け部材１１を前方へ摺動させ球入口２を開放して故意に遊技球を球入口２内に入賞させたとしても、このとき、開閉受け部材１１のみ前方へ摺動する。これに対し、誘導部材１８はソレノイド２２により支持されその位置に停止して第一入賞口８ａを塞いだままとなっており、球落口１０は開放されている。
【００２５】
このため、前記球入口２に入った遊技球Ｂは、球受け板部１５の上面を転動してその後側の球落口１０に落下する。これら遊技球Ｂは、非入賞球として処理されいずれも球検出器９により検出されることはないので、その入賞により賞球としての遊技球が払い出されることはない。よって、遊技者の不正行為は徒労に終り、これにより不正行為が抑止される。また、パチンコホールにとっては、ほとんど不利益が生ずるようなことはない。
【図面の簡単な説明】
【００２６】
【図１】本発明に係る入賞装置の斜視図。
【図２】同分解斜視図。
【図３】同正面図。
【図４】図３のＸ−Ｘ線矢視図。
【図５】本発明が適用されるパチンコ遊技機の正面図。
【図６】（イ）は入賞装置部位の平面断面図、（ロ）は同側面断面図。
【図７】（イ）は入賞装置部位の作用を示す平面断面図、（ロ）は同側面断面図。
【図８】（イ）は入賞装置の不正行為を示す平面断面図、（ロ）は同側面断面図。
【符号の説明】
【００２７】
１                取付基板
２                球入口
４                支持板
６                有効域
７                無効域
１０              球落口
１１              開閉受け部材
１３              開閉蓋
１７              弾発手段（圧縮スプリング）
１８              誘導部材
２２              電気的駆動源（ソレノイド）
３２              遊技盤
Ａ                入賞装置
Ｂ                遊技球
Ｐ                遊技機（パチンコ遊技機）
【図１】
2008036030.tif 000003
【図２】
2008036030.tif 000004
【図３】
2008036030.tif 000005
【図４】
2008036030.tif 000006
【図５】
2008036030.tif 000007
【図６】
2008036030.tif 000008
【図７】
2008036030.tif 000009
【図８】
2008036030.tif 000010